(57)【要約】【課題】各部の構成部品である収納本体、筒状ガイド、放熱シート台座、透光カバーおよび結合スペーサをプラスチック製とし、特にいずれの部品をも真空成形によって形成した軽量で、汎用性のあるＬＥＤ照明具を提供する。【解決手段】収納本体の開口端部に接続される周壁を備えたプラスチック製放熱シート台座および、該放熱シート台座に放熱材を介して搭載した駆動回路基板に電気接続する少なくとも１つのＬＥＤと、前記放熱シート台座の周壁に接続され、前記放熱シート台座上の少なくとも１つのＬＥＤを覆うプラスチック製透光カバーとを備えてなるＬＥＤ照明具であって、前記収納本体と筒状ガイドの連結部分、また前記収納本体と放熱シート台座との連結部分、そして前記放熱シート台座と透光カバーとの結合スペーサを介した連結部分を有することにより、プラスチック製における剛性の低さや強度不足を解消を可能としたことを特徴とする。【選択図】図１１
2013054896.tif 000002
【特許請求の範囲】
【請求項１】
収容凹部を有するプラスチック製収納本体、前記収容凹部に左右一対のスライド溝を備えたプラスチック製筒状ガイドを介して収容した駆動回路基板、および前記収納本体の前記収容凹部の反対側の一端に接続する口金を含む電球本体と、
前記収納本体の開口端部に接続される周壁を備えたプラスチック製放熱シート台座および、該放熱シート台座に放熱材を介して搭載され、前記駆動回路基板に電気接続する少なくとも１つのＬＥＤと、
前記放熱シート台座の周壁に接続され、前記放熱シート台座上の少なくとも１つのＬＥＤを覆うプラスチック製透光カバーとを備えてなるＬＥＤ照明具であって、
前記プラスチック製収納本体とプラスチック製筒状ガイドの連結部分、また前記プラスチック製収納本体と放熱シート台座との連結部分、そして前記放熱シート台座と透光カバーとの結合スペーサを介した連結部分を有することにより、剛性の低さや強度不足を解消を可能としたことを特徴とするＬＥＤ照明具。
【請求項２】
前記放熱シート台座および透光カバーは、それぞれ突き合わせて接続され、前記接続部のそれぞれの内面にまたがって筒状をなすプラスチック製結合スペーサが配設され、かつ前記放熱シート台座および透光カバーは結合スペーサと接着剤により接着されていることを特徴とする請求項１に記載のＬＥＤ照明具。
【請求項３】
前記プラスチック製収納本体、プラスチック製筒状ガイド、プラスチック製放熱シート台座、プラスチック製透光カバーおよびプラスチック製結合スペーサは、いずれも真空成形によって成形されていることを特徴とする請求項１に記載のＬＥＤ照明具。
【請求項４】
前記収納本体の開口端部に接続される周壁を備えたプラスチック製放熱シート台座が、前記周壁を内側で折返した上で台座部分を形成したことを特徴とする請求項２に記載のＬＥＤ照明具。
【請求項５】
前記収納本体の開口端部に接続される周壁を備えたプラスチック製放熱シート台座が、前記周壁を前記プラスチック製収納本体端部の内周に沿って延長し、さらに内側で折返した上で台座部分を形成したことを特徴とする請求項３に記載のＬＥＤ照明具。
【発明の詳細な説明】
【技術分野】
【０００１】
この発明は、ＬＥＤ照明具に関するものであって、特に各部の構成部品である収納本体、筒状ガイド、放熱シート台座、透光カバーおよび結合スペーサをプラスチック製とし、なおかついずれの部品をも真空成形によって形成したＬＥＤ照明具に関するものである。
【背景技術】
【０００２】
ＬＥＤ（発光ダイオード）は種々の利点、例えば高輝度、低消費電力、長寿命、低汚染である等から、いろいろな室内あるいは室外の照明具に広く応用されている。
そして特に、従来の室内照明具として一般的な電球型の照明具として使用することが近年試みられ、量産によるコストダウンが図られてきている。そしてコストダウンの最も有力な手段として、各部品のプラスチック化を行うことが認められつつある。
【０００３】
このような従来のＬＥＤ電球において、収納本体をプラスチック製とすることはＬＥＤの発熱の問題もあって難しかった。すなわち、現在の電球型のＬＥＤ照明具の問題点はＬＥＤが発熱してしまうことにあるが、この寿命を決めるＬＥＤの放熱を行うために、収納本体をアルミ製などの熱伝導性に優れた金属材料で構成するのが一般的であった。しかしながら、このような金属材料を使用したＬＥＤ照明具には重すぎるという致命的な欠陥が存在する。
そのため、ＬＥＤの裏面にシート状あるいはグリース状等の放熱材を介在させてこの問題を解消し、収納本体をプラスチック製とすることが試みられるようになってきている。
【０００４】
ちなみに、ＬＥＤ照明具としてプラスチック製部品を用いた先行技術について説明する。
特開２０１１−１３４６６５号公報（特許文献１参照）
係合突部および係合受部の嵌め合わせによってカバー部材と本体側とを係合する。
【０００５】
特開２０１１−３４９６９号公報（特許文献２参照）
収納本体と、該収納本体に設置された少なくとも１つの発光素子を覆うランプカバーとを備え、前記ランプカバーは、透光部及び連接部を備え、前記連接部は、前記収納本体の収容凹部を有する一端に螺合する。
【０００６】
特開２０１０−２０５６４５号公報（特許文献３参照）
ホルダであるヒートシンクに搭載されたＬＥＤモジュールの周囲に、Ｚ軸方向に深さを有する溝部が形成され、グローブの開口縁部（Ｚ軸方向下側縁部）が、ヒートシンクに設けられた溝部に挿入され、間に介在された接着層を以って互いに固着されている。
【０００７】
特開２０１０−１４６０５２号公報（特許文献４参照）
一端部の端縁に切欠が設けられ、一端部側の内周面の少なくとも一部に沿って係合溝が形成された円筒状の一端部側に半導体発光素子を配設した金属製の本体と、前記切欠に係合する回転防止手段が設けられた結合部材により本体と係合する係合手段を有する。
【０００８】
特開２００９−９１１４０号公報（特許文献５参照）
基板に実装された発光ダイオードと、一方側に口金を装着し、他方側に基板を取り付けているカバーと、カバーの他方側に取り付けられた透光性のグローブと、グローブの外表面の略全域に被着された拡散シートとを具備している。
【０００９】
ＷＯ２０１１／００１６０５号公報（特許文献６参照）
発光モジュールが搭載されたホルダと、前記発光モジュールを覆うグローブとを備えた照明装置であって、
前記ホルダの前記発光モジュールが搭載された表面に、当該発光モジュールの周りを囲む溝部が形成され、この溝部には、前記グローブの端部が挿入され、前記溝部底面の一部には貫通孔が形成されていて、この貫通孔および前記溝部に接着剤が充填される。
【００１０】
実用新案登録３１６５４６７号公報（特許文献７参照）
中空プラスチックシェルと、発光装置と、プラスチック透過カバーとを含み、透過カバーの下端縁にシェルの第一結合部と互いに対応しかつ超音波技術で溶接し、密着させて第二結合部を設ける。
【００１１】
実開昭６３−１３１０１１号公報（特許文献８参照）
発光管と点灯回路とを包囲するグローブとカバーとの接合部の外面に防水皮膜を被着する。
【００１２】
ＵＳ２００５／１６２８６４号公報（特許文献９参照）
ＬＥＤ電球は、例えばプラスチック製のレンズと、複数のＬＥＤが実装されたプリント回路基板と、この基板が発生させる熱を逃がすＡｌ製の中央筐体と、電力供給基板と、ソケットが実装されている。
【００１３】
実用新案登録３１４７６０６号公報（特許文献１０参照）
カバーが樹脂で作られており、ランプ本体全体の重量を低減し、製造および使用がより簡易になり、かつコストが低減可能で一般により普及が可能なＬＥＤランプを提供する。
【先行技術文献】
【特許文献】
【００１４】
【特許文献１】特開２０１１−１３４６６５号公報
【特許文献２】特開２０１１−３４９６９号公報
【特許文献３】特開２０１０−２０５６４５号公報
【特許文献４】特開２０１０−１４６０５２号公報
【特許文献５】特開２００９−９１１４０号公報
【特許文献６】ＷＯ２０１１／００１６０５号公報
【特許文献７】実用新案登録３１６５４６７号公報
【特許文献８】実開昭６３−１３１０１１号公報
【特許文献９】ＵＳ２００５／１６２８６４号公報
【特許文献１０】実用新案登録３１４７６０６号公報
【発明の概要】
【発明が解決しようとする課題】
【００１５】
この発明の目的は、各部の構成部品である収納本体、筒状ガイド、放熱シート台座、透光カバーおよび結合スペーサをプラスチック製とし、特にいずれの部品をも真空成形によって形成した軽量で、汎用性のあるＬＥＤ照明具を提供することである。
【課題を解決するための手段】
【００１６】
すなわちこの発明のＬＥＤ照明具は、収容凹部を有するプラスチック製収納本体、前記収容凹部に左右一対のスライド溝を備えたプラスチック製筒状ガイドを介して収容した駆動回路基板、および前記収納本体の前記収容凹部の反対側の一端に接続する口金を含む電球本体と、
前記収納本体の開口端部に接続される周壁を備えたプラスチック製放熱シート台座および、該放熱シート台座に放熱材を介して搭載した前記電気回路基板に電気接続する少なくとも１つの発光素子と、
前記放熱シート台座の周壁に接続され、前記放熱シート台座上の少なくとも１つの発光素子を覆うプラスチック製透光カバーとを備えてなるＬＥＤ照明具であって、
前記プラスチック製収納本体とプラスチック製筒状ガイドの連結部分、また前記プラスチック製収納本体と放熱シート台座との連結部分、そして前記放熱シート台座と透光カバーとの結合スペーサを介した連結部分を有することにより、剛性の低さや強度不足を解消を可能としたことを特徴とするものである。
【００１７】
この発明のＬＥＤ照明具において、前記放熱シート台座および透光カバーは、それぞれ突き合わせて接続され、前記接続部のそれぞれの内面にまたがって筒状をなすプラスチック製結合スペーサが配設され、かつ前記放熱シート台座および透光カバーは結合スペーサと接着剤により接着されていることをも特徴とするものである。
【００１８】
この発明のＬＥＤ照明具において、前記プラスチック製収納本体、プラスチック製筒状ガイド、プラスチック製放熱シート台座、プラスチック製透光カバーおよびプラスチック製結合スペーサは、いずれも真空成形によって成形されていることをも特徴とするものである。
【００１９】
この発明のＬＥＤ照明具において、前記収納本体の開口端部に接続される周壁を備えたプラスチック製放熱シート台座が、前記周壁を内側で折返した上で台座部分を形成したことをも特徴とするものである。
【００２０】
この発明のＬＥＤ照明具において、前記収納本体の開口端部に接続される周壁を備えたプラスチック製放熱シート台座が、前記周壁を前記プラスチック製収納本体端部の内周に沿って延長し、さらに内側で折返した上で台座部分を形成したことをも特徴とするものである。
【発明の効果】
【００２１】
この発明に係わるＬＥＤ照明具において、前記プラスチック製収納本体、プラスチック製筒状ガイド、プラスチック製放熱シート台座、プラスチック製透光カバーおよびプラスチック製結合スペーサは、いずれも真空成形によって成形されているため、したがって、軽量で汎用性のある電球型ＬＥＤ照明具を提供することができる。
また、上記構成を採用したことに伴い、上記各部品が真空成形品であるにもかかわらず、剛性や強度の高い電球型ＬＥＤ照明具を提供することができるようになった。
【図面の簡単な説明】
【００２２】
【図１】この発明のＬＥＤ照明具の１実施例を示し、プラスチック製収納本体の側面図である。
【図２】その平面図である。
【図３】プラスチック製筒状ガイドの断面図である。
【図４】スライド溝に駆動回路基板を挿入した状態を示す断面図である。
【図５】別の角度で切断した状態を示す断面図である。
【図６】その底面図である。
【図７】筒状ガイドのスライド溝に前記駆動回路基板を装着しようとする状態を説明するための中央切欠斜視図である。
【図８】装着が完了した状態を説明するための中央切欠斜視図である。
【図９】プラスチック製放熱シート台座の断面図である。
【図１０】その平面図である。
【図１１】プラスチック製放熱シート台座に放熱材を介してＬＥＤを搭載した状態を示す断面図である。
【図１２】プラスチック製結合スペーサの断面図である。
【図１３】その平面図である。
【図１４】プラスチック製透光カバーの断面図である。
【図１５】プラスチック製透光カバーを、ＬＥＤを搭載したプラスチック製放熱シート台座にプラスチック製結合スペーサを介して接続した状態を示す断面図である。
【図１６】この発明のＬＥＤ照明具の完成状態の概略断面図である。
【図１７】その側面図である。
【発明を実施するための最良の形態】
【００２３】
以下、図面を参照して、この発明のＬＥＤ照明具の実施形態について詳細に説明する。
この発明のＬＥＤ照明具１０は、図１および図２に示すように、収容凹部１２を有するプラスチック製収納本体１１を備えている。そして前記収容凹部１２には、図２に示すように、左右一対のスライド溝１４を備えたプラスチック製筒状ガイド１３を介して駆動回路基板１５が着脱可能に収容してある。
また、前記収納本体１１の前記収容凹部１２の反対側の一端には段差を介して口金（図示省略）が接続される
そして収納本体１１、プラスチック製筒状ガイド１３および駆動回路基板１５等の部品で電球本体を構成している。
【００２４】
図３ないし図６は左右一対のスライド溝１４を備えたプラスチック製筒状ガイド１３を示す。
図３に示すように、前記筒状ガイド１３の末端には、段差を介して前記収納本体１１の末端部分にはめ込まれる装着部１６が形成され、他端にはフランジ部１７を介して前記収納本体１１の内壁に当接される外縁部１８が形成されている。
したがって、前記収納本体１１の末端部分と装着部１６とで２重構造となり、また前記収納本体１１の内壁に外縁部１８が当接されて接着剤その他の手段で固定されているので、前記収納本体１１の剛性や強度が確実に向上する。
さらに、図４ないし図６に示すように、前記筒状ガイド１３のスライド溝１４には前記駆動回路基板１５が着脱可能に収容されている。
図７および図８は、前記筒状ガイド１３のスライド溝１４に前記駆動回路基板１５を装着する状態を説明するためのもので、図７の状態から前記駆動回路基板１５を押し下げて、図８のようにはめ込むのである。
【００２５】
次に、図９および図１０はプラスチック製放熱シート台座２１を示し、前記収納本体１１の開口端部に接続される周壁２２を備えたプラスチック製放熱シート台座２１は、前記周壁２２を内側で折返した上で、ＬＥＤ２４を搭載する台座２３部分を形成してある。
さらに、前記プラスチック製放熱シート台座２１は、前記周壁２２を前記プラスチック製収納本体１１端部の内周に沿って延長し、さらに延長端部２５において内側へ折返した上で、前記台座２３部分を形成してあるので、そこに形成される段差２６を利用して前記プラスチック製収納本体１１の端部を確実にはめ込むことができる。
【００２６】
なお図１１に示すように、前記放熱シート台座２１には、シート状あるいはグリース状等からなる放熱材２７を介して、前記駆動回路基板１５に電気接続する少なくとも１つ（図では３つ）のＬＥＤ２４が搭載してある。なお２８は、放熱材２７にＬＥＤ２４を取り付けるためのＬＥＤ台座である。
したがって、前記ＬＥＤ２４において熱が発生しても、前記放熱材２７によって放熱シート台座２１から収納本体１１を経て外部空気に放熱される。
もちろん、前記プラスチック製収納本体１１やプラスチック製放熱シート台座２１としては、その材料を放熱効果を有するプラスチック素材を使用することが望ましい。
【００２７】
図１２および図１３は段差４２を設けたプラスチック製結合スペーサ４１を示すものであり、前記放熱シート台座２１および後述する透光カバー３１を突き合わせて接続する際に使用される。
すなわち、前記プラスチック製結合スペーサ４１は前記段差４２の上下に、前記前記放熱シート台座２１および透光カバー３１の接続部分内面がそれぞれ当接され、かつ前記放熱シート台座２１および透光カバー３１はこの結合スペーサ４１と接着剤により接着されている。この際に使用される接着剤は、各部品のプラスチック素材との相性や、放熱性、耐熱性、透光性その他を考慮して適宜決定することができる。
その際、前記段差２６を利用して前記結合スペーサ４１の端部を前記放熱シート台座２１の周壁２２内面に確実にはめ込むことができる。
【００２８】
次に、図１４はプラスチック製透光カバー３１を示すものであり、該プラスチック製透光カバー３１は、その開口端部を前記放熱シート台座２１の周壁に接続され、前記放熱シート台座２１上の少なくとも１つのＬＥＤ２４を覆うように構成されている。
図１５は前記放熱シート台座２１および透光カバー３１を、段差４２を備えた結合スペーサ４１を介して接続した状態を示すものである。
また、図１６および図１７は、前記放熱シート台座２１の反対側の段差２６部分に前記収納本体１１を取り付けた完成状態を示す。
【００２９】
このように構成されたＬＥＤ照明具において、前記プラスチック製収納本体１１、プラスチック製筒状ガイド１３、プラスチック製放熱シート台座２１、プラスチック製透光カバー３１およびプラスチック製結合スペーサ４１は、いずれも真空成形によって成形することができる。したがって、軽量でかつ汎用性があり、かつコストダウンを図りやすい電球型ＬＥＤ照明具を提供することができる。
しかも前記プラスチック製収納本体１１とプラスチック製筒状ガイド１３の連結部分、また前記プラスチック製収納本体１１と放熱シート台座２１との連結部分、そして前記放熱シート台座２１と透光カバー３１との結合スペーサ４１を介した連結部分により、真空成形の弱点である剛性の低さや強度不足を解消することが可能となった。
【産業上の利用可能性】
【００３０】
以上この発明を実施例に基づいて具体的に説明したが、この発明は、上述の実施例に限定されるものではなく、その要旨を逸脱しない範囲において、種々の変更が可能であることは勿論である。
【符号の説明】
【００３１】
１０  ＬＥＤ照明具
１１  収納本体
１２  収容凹部
１３  筒状ガイド
１４  スライド溝
１５  駆動回路基板
１６  装着部
１７  フランジ部
１８  外縁部
２１  放熱シート台座
２２  周壁
２３  台座部分
２４  ＬＥＤ
２５  延長端部
２６  段差
２７  放熱材
２８  ＬＥＤ台座
３１  透光カバー
４１  結合スペーサ
４２  段差
【図１】
2013054896.tif 000003
【図２】
2013054896.tif 000004
【図３】
2013054896.tif 000005
【図４】
2013054896.tif 000006
【図５】
2013054896.tif 000007
【図６】
2013054896.tif 000008
【図７】
2013054896.tif 000009
【図８】
2013054896.tif 000010
【図９】
2013054896.tif 000011
【図１０】
2013054896.tif 000012
【図１１】
2013054896.tif 000013
【図１２】
2013054896.tif 000014
【図１３】
2013054896.tif 000015
【図１４】
2013054896.tif 000016
【図１５】
2013054896.tif 000017
【図１６】
2013054896.tif 000018
【図１７】
2013054896.tif 000019
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
収容凹部を有するプラスチック製収納本体、前記収容凹部に左右一対のスライド溝を備えたプラスチック製筒状ガイドを介して収容した駆動回路基板、および前記収納本体の前記収容凹部の反対側の一端に接続する口金を含む電球本体と、
前記収納本体の開口端部に接続される周壁を備えたプラスチック製放熱シート台座および、該放熱シート台座に放熱材を介して搭載され、前記駆動回路基板に電気接続する少なくとも１つのＬＥＤと、
前記放熱シート台座の周壁に接続され、前記放熱シート台座上の少なくとも１つのＬＥＤを覆うプラスチック製透光カバーとを備えるとともに、前記放熱シート台座と透光カバーとをプラスチック製結合スペーサを介して連結してなるＬＥＤ照明具であって、
前記プラスチック製収納本体、プラスチック製筒状ガイド、プラスチック製放熱シート台座、プラスチック製透光カバーおよびプラスチック製結合スペーサは、いずれも真空成形によって成形されており、
前記プラスチック製収納本体とプラスチック製筒状ガイドの連結部分、また前記プラスチック製収納本体と放熱シート台座との連結部分、そして前記放熱シート台座と透光カバーとの結合スペーサを介した連結部分を有することにより、前記真空成形に起因する剛性の低さや強度不足の解消を可能としたことを特徴とするＬＥＤ照明具。
【請求項２】
前記放熱シート台座および透光カバーは、それぞれ突き合わせて接続され、前記接続部のそれぞれの内面にまたがって筒状をなすプラスチック製結合スペーサが配設され、かつ前記放熱シート台座および透光カバーは結合スペーサと接着剤により接着されていることを特徴とする請求項１に記載のＬＥＤ照明具。
【請求項３】
前記収納本体の開口端部に接続される周壁を備えたプラスチック製放熱シート台座が、前記周壁を内側で折返した上で台座部分を形成したことを特徴とする請求項２に記載のＬＥＤ照明具。
【請求項４】
前記収納本体の開口端部に接続される周壁を備えたプラスチック製放熱シート台座が、前記周壁を前記プラスチック製収納本体端部の内周に沿って延長し、さらに内側で折返した上で台座部分を形成したことを特徴とする請求項２に記載のＬＥＤ照明具。
【手続補正２】
【補正対象書類名】明細書
【補正対象項目名】全文
【補正方法】変更
【補正の内容】
【発明の詳細な説明】
【技術分野】
【０００１】
この発明は、ＬＥＤ照明具に関するものであって、特に各部の構成部品である収納本体、筒状ガイド、放熱シート台座、透光カバーおよび結合スペーサをプラスチック製とし、なおかついずれの部品をも真空成形によって形成したＬＥＤ照明具に関するものである。
【背景技術】
【０００２】
ＬＥＤ（発光ダイオード）は種々の利点、例えば高輝度、低消費電力、長寿命、低汚染である等から、いろいろな室内あるいは室外の照明具に広く応用されている。
そして特に、従来の室内照明具として一般的な電球型の照明具として使用することが近年試みられ、量産によるコストダウンが図られてきている。そしてコストダウンの最も有力な手段として、各部品のプラスチック化を行うことが認められつつある。
【０００３】
このような従来のＬＥＤ電球において、収納本体をプラスチック製とすることはＬＥＤの発熱の問題もあって難しかった。すなわち、現在の電球型のＬＥＤ照明具の問題点はＬＥＤが発熱してしまうことにあるが、この寿命を決めるＬＥＤの放熱を行うために、収納本体をアルミ製などの熱伝導性に優れた金属材料で構成するのが一般的であった。しかしながら、このような金属材料を使用したＬＥＤ照明具には重すぎるという致命的な欠陥が存在する。
そのため、ＬＥＤの裏面にシート状あるいはグリース状等の放熱材を介在させてこの問題を解消し、収納本体をプラスチック製とすることが試みられるようになってきている。
【０００４】
ちなみに、ＬＥＤ照明具としてプラスチック製部品を用いた先行技術について説明する。
特開２０１１−１３４６６５号公報（特許文献１参照）
係合突部および係合受部の嵌め合わせによってカバー部材と本体側とを係合する。
【０００５】
特開２０１１−３４９６９号公報（特許文献２参照）
収納本体と、該収納本体に設置された少なくとも１つの発光素子を覆うランプカバーとを備え、前記ランプカバーは、透光部及び連接部を備え、前記連接部は、前記収納本体の収容凹部を有する一端に螺合する。
【０００６】
特開２０１０−２０５６４５号公報（特許文献３参照）
ホルダであるヒートシンクに搭載されたＬＥＤモジュールの周囲に、Ｚ軸方向に深さを有する溝部が形成され、グローブの開口縁部（Ｚ軸方向下側縁部）が、ヒートシンクに設けられた溝部に挿入され、間に介在された接着層を以って互いに固着されている。
【０００７】
特開２０１０−１４６０５２号公報（特許文献４参照）
一端部の端縁に切欠が設けられ、一端部側の内周面の少なくとも一部に沿って係合溝が形成された円筒状の一端部側に半導体発光素子を配設した金属製の本体と、前記切欠に係合する回転防止手段が設けられた結合部材により本体と係合する係合手段を有する。
【０００８】
特開２００９−９１１４０号公報（特許文献５参照）
基板に実装された発光ダイオードと、一方側に口金を装着し、他方側に基板を取り付けているカバーと、カバーの他方側に取り付けられた透光性のグローブと、グローブの外表面の略全域に被着された拡散シートとを具備している。
【０００９】
ＷＯ２０１１／００１６０５号公報（特許文献６参照）
発光モジュールが搭載されたホルダと、前記発光モジュールを覆うグローブとを備えた照明装置であって、
前記ホルダの前記発光モジュールが搭載された表面に、当該発光モジュールの周りを囲む溝部が形成され、この溝部には、前記グローブの端部が挿入され、前記溝部底面の一部には貫通孔が形成されていて、この貫通孔および前記溝部に接着剤が充填される。
【００１０】
実用新案登録３１６５４６７号公報（特許文献７参照）
中空プラスチックシェルと、発光装置と、プラスチック透過カバーとを含み、透過カバーの下端縁にシェルの第一結合部と互いに対応しかつ超音波技術で溶接し、密着させて第二結合部を設ける。
【００１１】
実開昭６３−１３１０１１号公報（特許文献８参照）
発光管と点灯回路とを包囲するグローブとカバーとの接合部の外面に防水皮膜を被着する。
【００１２】
ＵＳ２００５／１６２８６４号公報（特許文献９参照）
ＬＥＤ電球は、例えばプラスチック製のレンズと、複数のＬＥＤが実装されたプリント回路基板と、この基板が発生させる熱を逃がすＡｌ製の中央筐体と、電力供給基板と、ソケットが実装されている。
【００１３】
実用新案登録３１４７６０６号公報（特許文献１０参照）
カバーが樹脂で作られており、ランプ本体全体の重量を低減し、製造および使用がより簡易になり、かつコストが低減可能で一般により普及が可能なＬＥＤランプを提供する。
【先行技術文献】
【特許文献】
【００１４】
【特許文献１】特開２０１１−１３４６６５号公報
【特許文献２】特開２０１１−３４９６９号公報
【特許文献３】特開２０１０−２０５６４５号公報
【特許文献４】特開２０１０−１４６０５２号公報
【特許文献５】特開２００９−９１１４０号公報
【特許文献６】ＷＯ２０１１／００１６０５号公報
【特許文献７】実用新案登録３１６５４６７号公報
【特許文献８】実開昭６３−１３１０１１号公報
【特許文献９】ＵＳ２００５／１６２８６４号公報
【特許文献１０】実用新案登録３１４７６０６号公報
【発明の概要】
【発明が解決しようとする課題】
【００１５】
この発明の目的は、各部の構成部品である収納本体、筒状ガイド、放熱シート台座、透光カバーおよび結合スペーサをプラスチック製とし、特にいずれの部品をも真空成形によって形成した軽量で、汎用性のあるＬＥＤ照明具を提供することである。
【課題を解決するための手段】
【００１６】
すなわちこの発明のＬＥＤ照明具は、収容凹部を有するプラスチック製収納本体、前記収容凹部に左右一対のスライド溝を備えたプラスチック製筒状ガイドを介して収容した駆動回路基板、および前記収納本体の前記収容凹部の反対側の一端に接続する口金を含む電球本体と、
前記収納本体の開口端部に接続される周壁を備えたプラスチック製放熱シート台座および、該放熱シート台座に放熱材を介して搭載され、前記駆動回路基板に電気接続する少なくとも１つのＬＥＤと、
前記放熱シート台座の周壁に接続され、前記放熱シート台座上の少なくとも１つのＬＥＤを覆うプラスチック製透光カバーとを備えるとともに、前記放熱シート台座と透光カバーとをプラスチック製結合スペーサを介して連結してなるＬＥＤ照明具であって、
前記プラスチック製収納本体、プラスチック製筒状ガイド、プラスチック製放熱シート台座、プラスチック製透光カバーおよびプラスチック製結合スペーサは、いずれも真空成形によって成形されており、
前記プラスチック製収納本体とプラスチック製筒状ガイドの連結部分、また前記プラスチック製収納本体と放熱シート台座との連結部分、そして前記放熱シート台座と透光カバーとの結合スペーサを介した連結部分を有することにより、前記真空成形に起因する剛性の低さや強度不足の解消を可能としたことを特徴とするものである。
【００１７】
この発明のＬＥＤ照明具において、前記放熱シート台座および透光カバーは、それぞれ突き合わせて接続され、前記接続部のそれぞれの内面にまたがって筒状をなすプラスチック製結合スペーサが配設され、かつ前記放熱シート台座および透光カバーは結合スペーサと接着剤により接着されていることをも特徴とするものである。
【００１８】
この発明のＬＥＤ照明具において、前記収納本体の開口端部に接続される周壁を備えたプラスチック製放熱シート台座が、前記周壁を内側で折返した上で台座部分を形成したことをも特徴とするものである。
【００１９】
この発明のＬＥＤ照明具において、前記収納本体の開口端部に接続される周壁を備えたプラスチック製放熱シート台座が、前記周壁を前記プラスチック製収納本体端部の内周に沿って延長し、さらに内側で折返した上で台座部分を形成したことをも特徴とするものである。
【発明の効果】
【００２０】
この発明に係わるＬＥＤ照明具において、前記プラスチック製収納本体、プラスチック製筒状ガイド、プラスチック製放熱シート台座、プラスチック製透光カバーおよびプラスチック製結合スペーサは、いずれも真空成形によって成形されているため、したがって、軽量で汎用性のある電球型ＬＥＤ照明具を提供することができる。
また、上記構成を採用したことに伴い、上記各部品が真空成形品であるにもかかわらず、剛性や強度の高い電球型ＬＥＤ照明具を提供することができるようになった。
【図面の簡単な説明】
【００２１】
【図１】この発明のＬＥＤ照明具の１実施例を示し、プラスチック製収納本体の側面図である。
【図２】その平面図である。
【図３】プラスチック製筒状ガイドの断面図である。
【図４】スライド溝に駆動回路基板を挿入した状態を示す断面図である。
【図５】別の角度で切断した状態を示す断面図である。
【図６】その底面図である。
【図７】筒状ガイドのスライド溝に前記駆動回路基板を装着しようとする状態を説明するための中央切欠斜視図である。
【図８】装着が完了した状態を説明するための中央切欠斜視図である。
【図９】プラスチック製放熱シート台座の断面図である。
【図１０】その平面図である。
【図１１】プラスチック製放熱シート台座に放熱材を介してＬＥＤを搭載した状態を示す断面図である。
【図１２】プラスチック製結合スペーサの断面図である。
【図１３】その平面図である。
【図１４】プラスチック製透光カバーの断面図である。
【図１５】プラスチック製透光カバーを、ＬＥＤを搭載したプラスチック製放熱シート台座にプラスチック製結合スペーサを介して接続した状態を示す断面図である。
【図１６】この発明のＬＥＤ照明具の完成状態の概略断面図である。
【図１７】その側面図である。
【発明を実施するための最良の形態】
【００２２】
以下、図面を参照して、この発明のＬＥＤ照明具の実施形態について詳細に説明する。
この発明のＬＥＤ照明具１０は、図１および図２に示すように、収容凹部１２を有するプラスチック製収納本体１１を備えている。そして前記収容凹部１２には、図２に示すように、左右一対のスライド溝１４を備えたプラスチック製筒状ガイド１３を介して駆動回路基板１５が着脱可能に収容してある。
また、前記収納本体１１の前記収容凹部１２の反対側の一端には段差を介して口金（図示省略）が接続される
そして収納本体１１、プラスチック製筒状ガイド１３および駆動回路基板１５等の部品で電球本体を構成している。
【００２３】
図３ないし図６は左右一対のスライド溝１４を備えたプラスチック製筒状ガイド１３を示す。
図３に示すように、前記筒状ガイド１３の末端には、段差を介して前記収納本体１１の末端部分にはめ込まれる装着部１６が形成され、他端にはフランジ部１７を介して前記収納本体１１の内壁に当接される外縁部１８が形成されている。
したがって、前記収納本体１１の末端部分と装着部１６とで２重構造となり、また前記収納本体１１の内壁に外縁部１８が当接されて接着剤その他の手段で固定されているので、前記収納本体１１の剛性や強度が確実に向上する。
さらに、図４ないし図６に示すように、前記筒状ガイド１３のスライド溝１４には前記駆動回路基板１５が着脱可能に収容されている。
図７および図８は、前記筒状ガイド１３のスライド溝１４に前記駆動回路基板１５を装着する状態を説明するためのもので、図７の状態から前記駆動回路基板１５を押し下げて、図８のようにはめ込むのである。
【００２４】
次に、図９および図１０はプラスチック製放熱シート台座２１を示し、前記収納本体１１の開口端部に接続される周壁２２を備えたプラスチック製放熱シート台座２１は、前記周壁２２を内側で折返した上で、ＬＥＤ２４を搭載する台座２３部分を形成してある。
さらに、前記プラスチック製放熱シート台座２１は、前記周壁２２を前記プラスチック製収納本体１１端部の内周に沿って延長し、さらに延長端部２５において内側へ折返した上で、前記台座２３部分を形成してあるので、そこに形成される段差２６を利用して前記プラスチック製収納本体１１の端部を確実にはめ込むことができる。
【００２５】
なお図１１に示すように、前記放熱シート台座２１には、シート状あるいはグリース状等からなる放熱材２７を介して、前記駆動回路基板１５に電気接続する少なくとも１つ（図では３つ）のＬＥＤ２４が搭載してある。なお２８は、放熱材２７にＬＥＤ２４を取り付けるためのＬＥＤ台座である。
したがって、前記ＬＥＤ２４において熱が発生しても、前記放熱材２７によって放熱シート台座２１から収納本体１１を経て外部空気に放熱される。
もちろん、前記プラスチック製収納本体１１やプラスチック製放熱シート台座２１としては、その材料を放熱効果を有するプラスチック素材を使用することが望ましい。
【００２６】
図１２および図１３は段差４２を設けたプラスチック製結合スペーサ４１を示すものであり、前記放熱シート台座２１および後述する透光カバー３１を突き合わせて接続する際に使用される。
すなわち、前記プラスチック製結合スペーサ４１は前記段差４２の上下に、前記前記放熱シート台座２１および透光カバー３１の接続部分内面がそれぞれ当接され、かつ前記放熱シート台座２１および透光カバー３１はこの結合スペーサ４１と接着剤により接着されている。この際に使用される接着剤は、各部品のプラスチック素材との相性や、放熱性、耐熱性、透光性その他を考慮して適宜決定することができる。
その際、前記段差２６を利用して前記結合スペーサ４１の端部を前記放熱シート台座２１の周壁２２内面に確実にはめ込むことができる。
【００２７】
次に、図１４はプラスチック製透光カバー３１を示すものであり、該プラスチック製透光カバー３１は、その開口端部を前記放熱シート台座２１の周壁に接続され、前記放熱シート台座２１上の少なくとも１つのＬＥＤ２４を覆うように構成されている。
図１５は前記放熱シート台座２１および透光カバー３１を、段差４２を備えた結合スペーサ４１を介して接続した状態を示すものである。
また、図１６および図１７は、前記放熱シート台座２１の反対側の段差２６部分に前記収納本体１１を取り付けた完成状態を示す。
【００２８】
このように構成されたＬＥＤ照明具において、前記プラスチック製収納本体１１、プラスチック製筒状ガイド１３、プラスチック製放熱シート台座２１、プラスチック製透光カバー３１およびプラスチック製結合スペーサ４１は、いずれも真空成形によって成形することができる。したがって、軽量でかつ汎用性があり、かつコストダウンを図りやすい電球型ＬＥＤ照明具を提供することができる。
しかも前記プラスチック製収納本体１１とプラスチック製筒状ガイド１３の連結部分、また前記プラスチック製収納本体１１と放熱シート台座２１との連結部分、そして前記放熱シート台座２１と透光カバー３１との結合スペーサ４１を介した連結部分により、真空成形の弱点である剛性の低さや強度不足を解消することが可能となった。
【産業上の利用可能性】
【００２９】
以上この発明を実施例に基づいて具体的に説明したが、この発明は、上述の実施例に限定されるものではなく、その要旨を逸脱しない範囲において、種々の変更が可能であることは勿論である。
【符号の説明】
【００３０】
１０  ＬＥＤ照明具
１１  収納本体
１２  収容凹部
１３  筒状ガイド
１４  スライド溝
１５  駆動回路基板
１６  装着部
１７  フランジ部
１８  外縁部
２１  放熱シート台座
２２  周壁
２３  台座部分
２４  ＬＥＤ
２５  延長端部
２６  段差
２７  放熱材
２８  ＬＥＤ台座
３１  透光カバー
４１  結合スペーサ
４２  段差